【手続補正書】
【提出日】平成29年10月11日(2017.10.11)
【手続補正１】
【補正対象書類名】特許請求の範囲
【補正対象項目名】全文
【補正方法】変更
【補正の内容】
【特許請求の範囲】
【請求項１】
植物廃棄物材料から得られる生分解性プラスチック材料を製造する方法であって、該方法は：
ａ）前記材料のセルロース部分が溶解し得るように、無水トリフルオロ酢酸およびトリフルオロ酢酸無水物からなる無水溶媒中に前記植物廃棄物材料を溶解させる操作、ここで、前記廃棄物材料は、その水含有量が前記セルロース部分の加水分解を引き起こすのに適当でない程度まで部分的に脱水されている、および
ｂ）非加水分解化セルロース部分を含む溶液から溶媒を除去する操作
を含むことを特徴とする方法。
【請求項２】
前記溶媒混合物は、トリフルオロ酢酸の体積に対して１０〜５０体積％の量のトリフルオロ酢酸無水物を含むことを特徴とする、請求項１に記載の方法。
【請求項３】
段階ａ）における溶解から生じる生成物について、
ｃ）溶媒の除去の前に、溶媒混合物から非溶解性成分を除去するためにろ過または遠心を行うことを特徴とする、請求項１または２に記載の方法。
【請求項４】
ａ）において得られる生成物をトリフルオロ酢酸中の微結晶性セルロースの溶液と混合することを特徴とする、請求項１〜３のいずれかに記載の方法。
【請求項５】
前記微結晶性セルロース溶液は、トリフルオロ酢酸中１重量％〜４重量％の含有量の微結晶性セルロースを有することを特徴とする、請求項４に記載の方法。
【請求項６】
ａ）またはｃ）において得られる溶解生成物を、トリフルオロ酢酸中の生分解性または生体適合性ポリマーの１以上の溶液と組み合わせることを特徴とする、請求項１〜３のいずれかに記載の方法。
【請求項７】
前記生分解性または生体適合性ポリマーは、ポリアミド、ポリカプロラクトン、ポリ酢酸ビニル、ポリ酢酸ビニルエマルジョン、ポリビニルホルミル樹脂またはその混合物を含む群から選択されることを特徴とする、請求項６に記載の方法。
【請求項８】
前記トリフルオロ酢酸中のポリマー溶液は、１重量％〜５重量％のポリマー濃度を有することを特徴とする、請求項７に記載の方法。
【請求項９】
前記生分解性または生体適合性ポリマーの溶液を添加した、ａ）またはｃ）において得られる溶液は、繊維の製造のためにエレクトロスピニングが行われることを特徴とする、請求項６、７または８に記載の方法。
【請求項１０】
ａ）またはｃ）において得られる前記溶液を、トリフルオロ酢酸中の、特に麻繊維包装材料から得られる、廃棄物またはリサイクル植物繊維の溶液と組み合わせることを特徴とする、請求項１〜３のいずれかに記載の方法。
【請求項１１】
トリフルオロ酢酸中の結晶性マイクロセルロース溶液またはトリフルオロ酢酸溶液中の生分解性または生体適合性ポリマー溶液を必要に応じて添加した、ａ）またはｃ）において得られる溶液は、モールド中においてキャスト処理が行われ、前記キャスト処理モールドにおいて溶媒の蒸発によって溶媒を除去することを特徴とする、請求項１〜８のいずれかに記載の方法。
【請求項１２】
トリフルオロ酢酸溶液中の前記溶液を、溶媒の蒸発の前にアセトンを用いて希釈することを特徴とする、請求項１１に記載の方法。
【請求項１３】
前記植物廃棄物材料は、植物廃棄物粉末を含み、０．５重量％〜５重量％の濃度において、前記無水溶媒に添加されることを特徴とする、請求項１〜１２のいずれかに記載の方法。
【請求項１４】
前記粉末は１０μｍ〜２００μｍの寸法を有することを特徴とする、請求項１３に記載の方法。
【請求項１５】
前記植物廃棄物は、セリ科またはヒユ科の種に属する食用植物を含み、好ましくは完全に脱水されていることを特徴とする、請求項１〜１４のいずれかに記載の方法。
【手続補正２】
【補正対象書類名】明細書
【補正対象項目名】００６４
【補正方法】変更
【補正の内容】
【００６４】
これに加えて、得られたプラスチック材料は、水に不浸透性であり、従来の水-または有機-溶媒系のペイントを用いて塗布することができる。
本発明の好ましい態様は、以下を包含する。
［１］植物廃棄物材料から得られる生分解性プラスチック材料を製造する方法であって、該方法は：
ａ）その材料のセルロース部分が溶解し得るように、無水トリフルオロ酢酸を含む無水溶媒中に前記植物廃棄物材料を溶解させる操作、ここで、前記廃棄物材料は、その水含有量が前記セルロース部分の加水分解を引き起こすのに適当でない程度まで部分的に脱水されている、および
ｂ）非加水分解化セルロース部分を含む溶液から溶媒を除去する操作
を含むことを特徴とする方法。
［２］前記廃棄物材料を、無水トリフルオロ酢酸およびトリフルオロ酢酸無水物からなる無水溶媒混合物中に溶解させることを特徴とする、［１］に記載の方法。
［３］前記溶媒混合物は、トリフルオロ酢酸の体積に対して１０〜５０体積％の量のトリフルオロ酢酸無水物を含むことを特徴とする、［２］に記載の方法。
［４］段階ａ）における溶解から生じる生成物について、
ｃ）溶媒の除去の前に、溶媒混合物から非溶解性成分を除去するためにろ過または遠心を行うことを特徴とする、［１］〜［３］のいずれかに記載の方法。
［５］ａ）において得られる生成物をトリフルオロ酢酸中の微結晶性セルロースの溶液と混合することを特徴とする、［１］〜［４］のいずれかに記載の方法。
［６］前記微結晶性セルロース溶液は、トリフルオロ酢酸中１重量％〜４重量％の含有量の微結晶性セルロースを有することを特徴とする、［５］に記載の方法。
［７］ａ）またはｃ）において得られる溶解生成物を、トリフルオロ酢酸中の生分解性または生体適合性ポリマーの１以上の溶液と組み合わせることを特徴とする、［１］〜［４］のいずれかに記載の方法。
［８］前記生分解性または生体適合性ポリマーは、ポリアミド、ポリカプロラクトン、ポリ酢酸ビニル、ポリ酢酸ビニルエマルジョン、ポリビニルホルミル樹脂またはその混合物を含む群から選択されることを特徴とする、［７］に記載の方法。
［９］前記トリフルオロ酢酸中のポリマー溶液は、１重量％〜５重量％のポリマー濃度を有することを特徴とする、［８］に記載の方法。
［１０］前記生分解性または生体適合性ポリマーの溶液を添加した、ａ）またはｃ）において得られる溶液は、繊維の製造のためにエレクトロスピニングが行われることを特徴とする、［７］、［８］または［９］に記載の方法。
［１１］ａ）またはｃ）において得られる前記溶液を、トリフルオロ酢酸中の、特に麻繊維包装材料から得られる、廃棄物またはリサイクル植物繊維の溶液と組み合わせることを特徴とする、［１］〜［４］のいずれかに記載の方法。
［１２］トリフルオロ酢酸中の結晶性マイクロセルロース溶液またはトリフルオロ酢酸溶液中の生分解性または生体適合性ポリマー溶液を必要に応じて添加した、ａ）またはｃ）において得られる溶液は、モールド中においてキャスト処理が行われ、前記キャスト処理モールドにおいて溶媒の蒸発によって溶媒を除去することを特徴とする、［１］〜［９］のいずれかに記載の方法。
［１３］トリフルオロ酢酸溶液中の前記溶液を、溶媒の蒸発の前にアセトンを用いて希釈することを特徴とする、［１２］に記載の方法。
［１４］前記植物廃棄物材料は、植物廃棄物粉末を含み、０．５重量％〜５重量％の濃度において、前記無水溶媒に添加されることを特徴とする、［１］〜［１３］のいずれかに記載の方法。
［１５］前記粉末は１０μｍ〜２００μｍの寸法を有することを特徴とする、［１４］に記載の方法。
［１６］前記植物廃棄物は、セリ科またはヒユ科の種に属する食用植物を含むことを特徴とする、［１］〜［１５］のいずれかに記載の方法。
［１７］前記植物廃棄物材料は完全に脱水されることを特徴とする、［１］〜［１６］のいずれかに記載の方法。